(57)【要約】【課題】路上に設定されたサービス区間において道路側インフラから車両に対して提供されるサービスにおいて、受信したサービス情報を表示する新規な表示手法を提供する。【解決手段】通信装置１１は、道路側インフラ２０から送信されたサービス情報を受信する。コンピュータ１４は、受信したサービス情報に基づいて、表示情報を決定するとともに、決定された表示情報を出力する。表示装置１６は、コンピュータ１４からの出力に応じて、表示情報を表示画面１７に表示する。この場合、コンピュータ１４は、表示情報として、サービス情報に含まれるサービスに対応したアイコンＩを表示するように表示装置１６を制御する。【選択図】  図１
2004184176.tif 000002
【特許請求の範囲】
【請求項１】
道路上に設定されたサービス区間において道路側インフラから車両に対して提供されるサービスについて、当該サービスに関する情報をサービス情報として前記道路側インフラから受信するとともに、当該受信したサービス情報を表示する情報表示システムにおいて、
前記道路側インフラから送信されたサービス情報を受信する通信装置と、
前記受信したサービス情報に基づいて、表示情報を決定するとともに、当該決定された表示情報を出力するコンピュータと、
前記コンピュータからの出力に応じて、前記表示情報を表示画面に表示する表示装置とを有し、
前記コンピュータは、前記表示情報として、前記サービス情報に含まれるサービスに対応したアイコンを表示するように前記表示装置を制御することを特徴とする情報表示システム。
【請求項２】
道路上に設定されたサービス区間において道路側インフラから車両に対して提供されるサービスについて、当該サービスに関する情報をサービス情報として前記道路側インフラから受信するとともに、当該受信したサービス情報を表示する情報表示システムにおいて、
前記道路側インフラから送信されたサービス情報を受信する通信装置と、
前記受信したサービス情報に基づいて、表示情報を決定するとともに、当該決定された表示情報を出力するコンピュータと、
前記コンピュータからの出力に応じて、前記表示情報を表示画面に表示する表示装置とを有し、
前記コンピュータは、前記表示情報として、前記受信したサービス情報に含まれるサービスに対応したアイコンを、前記サービス情報として提供され得るサービスのそれぞれに対応したアイコン毎に予め定められた表示画面上の位置に表示するように前記表示装置を制御することを特徴とする情報表示システム。
【請求項３】
道路上に設定されたサービス区間において道路側インフラから車両に対して提供されるサービスについて、当該サービスに関する情報をサービス情報として前記道路側インフラから受信するとともに、当該受信したサービス情報を表示する情報表示システムにおいて、
道路側インフラから送信されたサービス情報を受信する通信装置と、
前記受信したサービス情報に基づいて、表示情報を決定するとともに、当該決定された表示情報を出力するコンピュータと、
前記コンピュータからの出力に応じて、前記表示情報を表示画面に表示する表示装置とを有し、
前記コンピュータは、前記表示情報として、前記受信したサービス情報に含まれるサービスに対応したアイコンを、前記サービス情報として提供され得るサービスのそれぞれに対応したアイコン毎に予め定められた表示カラーで表示するように前記表示装置を制御することを特徴とする情報表示システム。
【請求項４】
前記コンピュータは、前記受信したサービス情報に含まれるサービスに対応したアイコンを、前記サービス情報として提供され得るサービスのそれぞれに対応したアイコン毎に予め定められた表示カラーで表示するように前記表示装置をさらに制御することを特徴とする請求項２に記載された情報表示システム。
【請求項５】
前記サービス情報として提供され得るサービスのそれぞれに対応したアイコン毎に予め定められた表示画面上の位置は、前記サービスの対象となる事象の発生する状況が近いもの同士でまとめられていることを特徴とする請求項２または４に記載された情報表示システム。
【請求項６】
前記コンピュータは、前記受信したサービス情報に含まれるサービスについて、当該サービスの対象となる事象に対応した文字シンボルを表示するように前記表示装置を制御するとともに、当該文字シンボルを前記サービスに対応するアイコンの表示カラーと同一の表示カラーで表示するように前記表示装置を制御することを特徴とする請求項３から５のいずれかに記載された情報表示システム。
【請求項７】
前記コンピュータは、前記受信したサービス情報に含まれるサービスのうち、前記道路側インフラにおいて稼働中のサービスに対応するアイコンの表示の形態と、前記道路側インフラにおいて非稼働中のサービスに対応するアイコンの表示の形態とを相違させて表示するように前記表示装置を制御することを特徴とする請求項１から６のいずれかに記載された情報表示システム。
【請求項８】
前記コンピュータは、前記受信したサービス情報に含まれるサービスについて、当該サービスの対象となる事象に対応した絵シンボルを表示するように前記表示装置を制御することを特徴とする請求項１から７のいずれかに記載された情報表示システム。
【請求項９】
前記コンピュータは、前記絵シンボルを表示するように前記表示装置を制御するための制御モードとして、第１の制御モードと第２の制御モードとを有し、
前記第１の制御モードにおいて表示される絵シンボルは、前記第２の制御モードにおいて表示される絵シンボルよりも、単純化して表示されることを特徴とする請求項８に記載された情報表示システム。
【請求項１０】
前記コンピュータは、前記第１の制御モードと、前記第２の制御モードとを切り換えるスイッチを有することを特徴とする請求項９に記載された情報表示システム。
【請求項１１】
前記コンピュータは、前記サービス情報の受信とタイミングを同期して、前記アイコンが表示される前記表示画面上の領域に背景画を表示するように前記表示装置を制御することを特徴とする請求項１から１０のいずれかに記載された情報表示システム。
【請求項１２】
道路上に設定されたサービス区間において道路側インフラから車両に対して提供されるサービスについて、当該サービスに関する情報をサービス情報として前記道路側インフラから受信するとともに、当該受信したサービス情報を表示画面に表示させる情報表示方法において、
前記サービス情報を受信するステップと、
前記受信したサービス情報に基づいて、当該サービス情報に含まれるサービスに対応したアイコンを表示するステップと
を有することを特徴とする情報表示方法。
【請求項１３】
道路上に設定されたサービス区間において道路側インフラから車両に対して提供されるサービスについて、当該サービスに関する情報をサービス情報として前記道路側インフラから受信するとともに、当該受信したサービス情報を表示画面に表示させる情報表示方法において、
前記サービス情報を受信するステップと、
前記受信したサービス情報に基づいて、当該サービス情報に含まれるサービスに対応したアイコンを、前記サービス情報として提供され得るサービスのそれぞれに対応したアイコン毎に予め定められた表示画面上の位置に表示するステップと
を有することを特徴とする情報表示方法。
【請求項１４】
道路上に設定されたサービス区間において道路側インフラから車両に対して提供されるサービスについて、当該サービスに関する情報をサービス情報として前記道路側インフラから受信するとともに、当該受信したサービス情報を表示画面に表示させる情報表示方法において、
前記サービス情報を受信するステップと、
前記受信したサービス情報に基づいて、当該サービス情報に含まれるサービスに対応したアイコンを、前記サービス情報として提供され得るサービスのそれぞれに対応したアイコン毎に予め定められた表示カラーで表示するステップと
を有することを特徴とする情報表示方法。
【請求項１５】
前記サービス情報に含まれるサービスに対応したアイコンは、前記サービス情報として提供され得るサービスのそれぞれに対応したアイコン毎に予め定められた表示カラーで表示されることを特徴とする請求項１３に記載された情報表示方法。
【発明の詳細な説明】
【０００１】
【発明の属する技術分野】
本発明は、道路側インフラから送信されたサービス情報を受信して走行支援を行う車両側の車載システムに係り、特に、受信したサービス情報を表示する情報表示システムおよび情報表示方法に関する。
【０００２】
【従来の技術】
近年、情報通信技術を利用して、交通の安全性などを最適化させる技術として、ＩＴＳ（Ｉｎｔｅｌｌｉｇｅｎｔ  Ｔｒａｎｓｐｏｒｔ  Ｓｙｓｔｅｍ：高度道路交通システム）の開発が進められている。このＩＴＳの一つにＡＨＳ（Ａｄｖａｎｃｅｄ  Ｃｒｕｉｓｅ−Ａｓｉｓｔ  Ｈｉｇｈｗａｙ  Ｓｙｓｔｅｍ：走行支援道路システム）がある。このＡＨＳは、道路側のシステム（道路側インフラ）と車両側の車載システムとが通信を行うことで、路車間が一体となり走行支援を行う。
【０００３】
走行支援の一形態は情報提供であり、道路上のサービス区間に存在する事象（例えば、カーブ、停止車両、交差点など）に関する情報が車両の乗員（特に、ドライバー）に対して提供される。ＡＨＳにおいて、道路側インフラから車載システムに送信される情報の内容は規格として定められているものの、車載システムが受信した情報の内容をどのようにしてドライバーに提供するかという点についてはメーカーの自主性に任せられている。ドライバーに対する情報提供の手法には、車両に設けられた表示装置を用いた情報表示が挙げられる（例えば、特許文献１および特許文献２参照）。
【０００４】
【特許文献１】
特開２００１−１０１５９３号公報
【特許文献２】
特開２００１−１０１５９４号公報
【０００５】
【発明が解決しようとする課題】
しかしながら、従来では、ＡＨＳに関する情報提供を行うための、表示手法が充分に確立されていないのが現状である。
【０００６】
本発明は、かかる事情に鑑みてなされたものであり、その目的は、路上に設定されたサービス区間において道路側インフラから車両に対して提供されるサービスに関して、受信したサービス情報を表示する新規な表示手法を提供することである。
【０００７】
【課題を解決するための手段】
かかる課題を解決するために、第１の発明は、道路上に設定されたサービス区間において道路側インフラから車両に対して提供されるサービスについて、サービスに関する情報をサービス情報として道路側インフラから受信するとともに、受信したサービス情報を表示する情報表示システムを提供する。この情報表示システムは、道路側インフラから送信されたサービス情報を受信する通信装置と、受信したサービス情報に基づいて、表示情報を決定するとともに、決定された表示情報を出力するコンピュータと、コンピュータからの出力に応じて、表示情報を表示画面に表示する表示装置とを有する。この場合、コンピュータは、表示情報として、サービス情報に含まれるサービスに対応したアイコンを表示するように表示装置を制御する。
【０００８】
また、第２の発明は、道路上に設定されたサービス区間において道路側インフラから車両に対して提供されるサービスについて、サービスに関する情報をサービス情報として道路側インフラから受信するとともに、受信したサービス情報を表示する情報表示システムを提供する。この情報表示システムは、第１の発明と同様の構成を有する。この場合、コンピュータは、表示情報として、受信したサービス情報に含まれるサービスに対応したアイコンを、サービス情報として提供され得るサービスのそれぞれに対応したアイコン毎に予め定められた表示画面上の位置に表示するように表示装置を制御する。
【０００９】
また、第３の発明は、道路上に設定されたサービス区間において道路側インフラから車両に対して提供されるサービスについて、サービスに関する情報をサービス情報として道路側インフラから受信するとともに、受信したサービス情報を表示する情報表示システムを提供する。この情報表示システムは、第１の発明と同様の構成を有する。この場合、コンピュータは、表示情報として、受信したサービス情報に含まれるサービスに対応したアイコンを、サービス情報として提供され得るサービスのそれぞれに対応したアイコン毎に予め定められた表示カラーで表示するように表示装置を制御する。
【００１０】
ここで、第２の発明において、コンピュータは、受信したサービス情報に含まれるサービスに対応したアイコンを、サービス情報として提供され得るサービスのそれぞれに対応したアイコン毎に予め定められた表示カラーで表示するように表示装置をさらに制御することが好ましい。この場合、サービス情報として提供され得るサービスのそれぞれに対応したアイコン毎に予め定められた表示画面上の位置は、サービスの対象となる事象の発生する状況が近いもの同士でまとめられていることが望ましい。
【００１１】
また、第３の発明において、コンピュータは、受信したサービス情報に含まれるサービスについて、サービスの対象となる事象に対応した文字シンボルを表示するように表示装置を制御することが好ましい。この場合、コンピュータは、文字シンボルをサービスに対応するアイコンの表示カラーと同一の表示カラーで表示するように表示装置を制御することが望ましい。
【００１２】
また、第１の発明から第３の発明のいずれかにおいて、コンピュータは、受信したサービス情報に含まれるサービスのうち、道路側インフラにおいて稼働中のサービスに対応するアイコンの表示の形態と、道路側インフラにおいて非稼働中のサービスに対応するアイコンの表示の形態とを相違させて表示するように表示装置を制御することが好ましい。
【００１３】
また、第１の発明から第３の発明のいずれかにおいて、コンピュータは、受信したサービス情報に含まれるサービスについて、サービスの対象となる事象に対応した絵シンボルを表示するように表示装置を制御することが好ましい。この場合、コンピュータは、絵シンボルを表示するように表示装置を制御するための制御モードとして、第１の制御モードと第２の制御モードとを有し、第１の制御モードにおいて表示される絵シンボルは、第２の制御モードにおいて表示される絵シンボルよりも、単純化して表示されることが望ましい。また、コンピュータは、第１の制御モードと、第２の制御モードとを切り換えるスイッチを有することが好ましい。
【００１４】
さらに、第１の発明から第３の発明のいずれかにおいて、コンピュータは、サービス情報の受信とタイミングを同期して、アイコンが表示される表示画面上の領域に背景画を表示するように表示装置を制御することが好ましい。
【００１５】
また、第４の発明は、道路上に設定されたサービス区間において道路側インフラから車両に対して提供されるサービスについて、サービスに関する情報をサービス情報として道路側インフラから受信するとともに、受信したサービス情報を表示画面に表示させる情報表示方法を提供する。この情報表情方法は、一つのステップとして、サービス情報を受信する。そして、さらなるステップとして、受信したサービス情報に基づいて、サービス情報に含まれるサービスに対応したアイコンを表示する。
【００１６】
また、第５の発明は、道路上に設定されたサービス区間において道路側インフラから車両に対して提供されるサービスについて、サービスに関する情報をサービス情報として道路側インフラから受信するとともに、受信したサービス情報を表示画面に表示させる情報表示方法を提供する。この情報表情方法は、一つのステップとして、サービス情報を受信する。そして、さらなるステップとして、受信したサービス情報に基づいて、サービス情報に含まれるサービスに対応したアイコンを、サービス情報として提供され得るサービスのそれぞれに対応したアイコン毎に予め定められた表示画面上の位置に表示する。
【００１７】
さらに、第６の発明は、道路上に設定されたサービス区間において道路側インフラから車両に対して提供されるサービスについて、サービスに関する情報をサービス情報として道路側インフラから受信するとともに、受信したサービス情報を表示画面に表示させる情報表示方法を提供する。この情報表情方法は、一つのステップとして、サービス情報を受信する。そして、さらなるステップとして、受信したサービス情報に基づいて、サービス情報に含まれるサービスに対応したアイコンを、サービス情報として提供され得るサービスのそれぞれに対応したアイコン毎に予め定められた表示カラーで表示する。
【００１８】
ここで、第５の発明において、サービス情報に含まれるサービスに対応したアイコンは、サービス情報として提供され得るサービスのそれぞれに対応したアイコン毎に予め定められた表示カラーで表示されることが好ましい。
【００１９】
【発明の実施の形態】
図１は、本実施形態にかかる情報表示システムが適用された走行支援システムの全体構成を示したブロック図である。この走行支援システム１は、一例として、ＡＨＳであり、車両側の車載システムとして機能する情報表示システム１０と、道路側インフラ２０とで構成される。このＡＨＳ１では、情報表示システム１０と、道路側インフラ２０とが互いに通信することにより、所定の走行支援（サービス）が行われる。ＡＨＳ１には、サービスを行うための支援レベル（乗員に対して運転を支援することを目的とした機能の水準）として、情報提供、警報、操作支援の３つの水準が存在するが、本実施形態では、情報提供を前提としたサービスについて説明する。すなわち、本サービスが路車間で行われることにより、サービスの対象となる事象（例えば、カーブの存在、路面状況、停止車両、交差点での対向車など）に関する情報が、道路側インフラ２０から情報表示システム１０へ提供される。このＡＨＳ１で行われるサービスは、サービスの対象となる事象の発生する状況に対応して、基本的に、単路系サービスと、交差点系サービスとに大別される。前者の単路系サービスでは、例えば、カーブ進入危険防止支援、路面情報提供支援、および出会い頭衝突防止支援（接近時支援）といったサービスが行われる。また、後者の交差点系サービスでは、例えば、出会い頭衝突防止支援（発進時支援）、右折衝突防止支援、および横断歩道歩行者衝突防止支援といったサービスが行われる。
【００２０】
ここで、本実施形態の特徴の一つである情報表示システム１０を説明する前に、まず、道路側インフラ２０について説明する。図２は、サービス区間を示す説明図である。道路側インフラ２０は、連続的に、或いは、離散的に配置されたＤＳＲＣ（Ｄｅｄｉｃａｔｅｄ  Ｓｈｏｒｔ  Ｒａｎｇｅ  Ｃｏｍｍｕｎｉｃａｔｉｏｎ）を主体に構成されている。このＤＳＲＣは、例えば、無線周波数５．８ＧＨｚ帯を使用したスポット通信を用いて、道路側インフラ２０から情報表示システム１０への情報伝達を行う。ＤＳＲＣはこれを機能的に捉えた場合、基点ＤＳＲＣ２１と情報ＤＳＲＣ２２とに分類され、一つのサービス区間における情報伝達は基点ＤＳＲＣ２１と情報ＤＳＲＣ２２とが組合わされて実現される。この場合、一つのサービス区間には、一つの基点ＤＳＲＣ２１と、少なくとも一つ以上（本実施形態では、例示的に一つ）の情報ＤＳＲＣ２２とが配置される。ここで、サービス区間とは、道路上に設定された、ＡＨＳ１によるサービスが提供される区間をいうが、本明細書では、基点ＤＳＲＣ２１の位置から、情報ＤＳＲＣ２２の送信情報に含まれるサービス区間の終了位置（以下、「サービス終了位置」と称する）までの区間をいう。
【００２１】
基点ＤＳＲＣ２１は、主として、サービス区間の位置的な基準として機能するＤＳＲＣであり、システム情報およびサービス制御情報を、基点情報として送信する。システム情報には、基点情報を送信したＤＳＲＣのＩＤと、このＤＳＲＣが基点ＤＳＲＣであるか情報ＤＳＲＣであるかの種別とが含まれる。また、サービス制御情報には、この基点情報を送信した基点ＤＳＲＣと組になりサービスを提供する情報ＤＳＲＣのＩＤと、この情報ＤＳＲＣが使用する周波数とが含まれる。
【００２２】
情報ＤＳＲＣ２２は、主としてサービスを実行する、すなわち、具体的なサービスの内容に関する情報を車両側に送信するＤＳＲＣである。この情報ＤＳＲＣ２２は、システム情報、サービス制御情報、サービス状態情報、サービス終了地点情報および個別サービス情報を送信する。システム情報には、これらの情報を送信したＤＳＲＣのＩＤ、このＤＳＲＣが基点ＤＳＲＣであるか情報ＤＳＲＣであるかの種別などが含まれる。サービス制御情報には、この情報ＤＳＲＣと組合わされる基点ＤＳＲＣ（本実施形態では、基点ＤＳＲＣ２１）のＩＤ、および、この情報ＤＳＲＣが使用する周波数などが含まれる。また、サービス状態情報には、情報ＤＳＲＣ２２が伝達するサービスの種類と、このサービスの稼働・非稼働の状態とが含まれる。サービス終了地点情報は、サービス終了位置を含む。この終了位置は、この情報ＤＳＲＣ２２と組合わせられる基点ＤＳＲＣ２１の位置を基準に定義されるある地点までの道程距離である。また、個別サービス情報は、サービス毎に必要な情報を含む。この個別サービス情報には、サービスの対象となる事象に関する情報、例えば、事象の位置、事象の内容、事象が含まれる情報対象区間の位置などが含まれる。なお、本明細書では、情報ＤＳＲＣ２２からの送信される情報の性質から判断して、これらの情報を、便宜的に、サービス情報と称する。ただし、本サービスの実現という観点からすれば、広義において、基点ＤＳＲＣ２１から送信される情報もこのサービス情報に含むことができる。
【００２３】
基点ＤＳＲＣ２１および情報ＤＳＲＣ２２によって送信される情報は、これらＤＳＲＣ２１，２２側に設けられた基地局（図示せず）によって一元的に管理される。この基地局では、サービス区間内に存在する事象（正確には、この事象が含まれる情報対象区間）を監視しており、サービス情報の作成・更新が行われる。したがって、この基地局側から情報ＤＳＲＣ２２を介して送信されるサービス情報は、現在のサービス区間の交通状況に応じた情報が反映されている。なお、本明細書では、一つのサービス区間に複数のサービスが存在する、複合サービスを想定して説明する。
【００２４】
再び図１を参照して、車載システムである情報表示システム１０について説明する。この情報表示システム１０は、通信装置１１と、コンピュータ１４と、表示装置１６とを有し、受信したサービス情報を用いて、車両Ｃの乗員（典型的には、ドライバー）に対してサービス情報相当の情報提供（表示）を行う。
【００２５】
通信装置１１は、アンテナ１２と、無線機１３とから構成されており、基点ＤＳＲＣ２１（或いは情報ＤＳＲＣ２２）と無線通信を行う。ＤＳＲＣ２１，２２から送信された所定周波数の電波を受信するアンテナ１２は、例えば、ダッシュボード（インストルメントパネル）上に設けられている。このアンテナ１２で受信した基点情報（或いは、サービス情報）は無線機１３に出力され、無線機１３は周知の復調方式を用いて、搬送波から基点情報（或いは、サービス情報）を取り出す。そして、取り出された基点情報（或いは、サービス情報）が、コンピュータ１４へ出力される。
【００２６】
コンピュータ１４として機能するマイクロコンピュータは、ＣＰＵ、ＲＯＭ、ＲＡＭ、入出力インターフェース等で構成されている。このコンピュータ１４は、受信したサービス情報に基づいて、サービス区間に存在する事象に関する表示情報を決定するとともに、この表示情報を表示装置１６に対して出力する。
【００２７】
マイクロコンピュータのＲＯＭには、表示情報として機能する、アイコンＩ、絵シンボルＳｐ、および、文字シンボルＳｔが、例えば、ビットマップデータで格納されている。ここで、本明細書において、アイコンＩは、サービスの内容を具現化した絵である。また、絵シンボルＳｐはサービスの対象となる事象の内容を具現化した絵（基本的に、交通標識等）であり、文字シンボルＳｔはサービスの対象となる事象の内容を示す文字（或いは、この事象に対する注意喚起を促す内容を含めた文字）である。これらのアイコンＩ、絵シンボルＳｐ、および、文字シンボルＳｔは、サービス情報として提供され得るサービスの種類のそれぞれに対応した数のデータとして格納されている。本実施形態で示すように、ＡＨＳ１として運用されるサービスが、カーブ進入危険防止支援、路面情報提供支援、出会い頭衝突防止支援（接近時支援）、出会い頭衝突防止支援（発進時支援）、右折衝突防止支援、および横断歩道歩行者衝突防止支援の６種類である場合には、基本的に、６種類×３タイプ（アイコンＩ、シンボルＳｐ，Ｓｔ）のデータがＲＯＭに格納される。ただし、サービスの対象となる事象には様々な状況が想定されるため、特に、絵シンボルＳｐおよび文字シンボルＳｔについては、一つのサービスに着目した場合であっても、種々のバリエーションを持たせることが好ましい。例えば、路面情報提供支援に関するサービスであれば、そのサービスの対象となる事象として、路面凍結、低摩擦係数路、路面水濡れ、積雪などのバリエーションが存在するといった如くである。
【００２８】
また、コンピュータ１４には、入出力インターフェースを介し、車速センサ１５等から得られる車速、ウィンカの点滅状態などを含む車両Ｃに関する車両情報が入力されている。コンピュータ１４は、この車両情報と、基点ＤＳＲＣ２１の位置とに基づき、サービス区間での車両Ｃの位置を認識することができる。なお、コンピュータ１４に入力される情報としては、車両情報の他に、例えば、ステレオカメラ、レーザレーダ等を含むセンサによって検出された、前方の走行状況が監視情報として入力されてもよい。この場合、コンピュータ１４は、道路側インフラ２０から受信したサービス情報に加え、これらの監視情報を、ドライバーに対して提供することができる。
【００２９】
表示装置１６は、例えば、インストルメントパネルの一部に配設されており、コンピュータ１４からの出力に応じた表示情報を、表示画面に表示する。図３は、表示画面に表示される表示情報の一例を示す説明図である。同図に示すように、表示画面１７には、基本的に、アイコンＩ（例えば、Ｉ１〜Ｉ３）、絵シンボルＳｐおよび文字シンボルＳｔが表示情報として表示され、これらの表示情報の制御はコンピュータ１４によって行われる。ただし、この表示装置１６は、単に、本サービスに関する表示情報を表示することに限定されず、例えば、ＧＰＳ等のナビゲーションシステムを用いたナビゲーション情報等を表示してもよい。このような場合、コンピュータ１４は、例えば、ＡＨＳ１のサービス区間内では、ナビゲーション情報をアイコンＩおよびシンボルＳｐ，Ｓｔの背景として表示するように表示装置１６を制御するといった如くである。なお、ＡＨＳ１のサービス区間外ではナビゲーション情報を全面的に表示画面１７に表示するように表示装置１６を制御すればよい。このような表示手法により、ＡＨＳ１と、ナビゲーションシステムとの両立を図ることができる。
【００３０】
以下、サービス区間内での車両Ｃの進行と対応付けて、コンピュータ１４によって制御される表示画面１７上の表示状態について説明する。図４は、本実施形態にかかる表示制御に関する手順を示すフローチャートである。また、図５は車両ＣとＤＳＲＣ２１，２２との位置関係を示す説明図であり、同図（ａ）は単路系サービスでの一例を示す。まず、図５（ａ）に示すように、車両Ｃが基点ＤＳＲＣ２１によって形成される無線ゾーン（図示せず）を通過すると、基点ＤＳＲＣ２１から送信された基点情報がアンテナ１２を介して受信される。受信された基点情報が無線機１３を経てコンピュータ１４に出力されることにより、基点ＤＳＲＣ２１から送信された基点情報がコンピュータ１４に入力される（ステップ１）。そして、コンピュータ１４は、入力された基点情報（正確には、システム情報およびサービス制御情報）に基づき、この情報が基点ＤＳＲＣ２１からの送信情報であることを特定するととともに、この基点ＤＳＲＣ２１のＩＤを記憶する。
【００３１】
このときの表示画面１７には、基本的に、何も表示されない。例えば、情報表示システム１がナビゲーションシステムを併用している場合、この時点では、表示画面１７には、ナビゲーション情報のみが表示されている。ただし、このとき、コンピュータ１４は、図示しないスピーカなどを用い、チャイム或いは音声情報などで、車両Ｃがサービス区間へ進入していることをドライバーに対して通知してもよい。
【００３２】
つぎに、図５（ａ）の状態から車両Ｃがサービス区間を進行し、情報ＤＳＲＣ２２によって形成される無線ゾーン（図示せず）を通過すると、情報ＤＳＲＣ２２から送信されたサービス情報がアンテナ１２を介して受信される。受信されたサービス情報が無線機１３を経てコンピュータ１４に出力されることにより、サービス情報がコンピュータ１４に入力される（ステップ２）。コンピュータ１４は、まず、入力されたサービス情報（正確には、サービス制御情報）に基づき、この情報ＤＳＲＣ２２と組合わされるＤＳＲＣのＩＤを用いて、基点ＤＳＲＣ２１を特定する。そして、車両情報を用いて、特定された基点ＤＳＲＣ２１と車両Ｃとの相対な位置（すなわち、基点ＤＳＲＣ２１から車両Ｃまでの道程距離）を算出し、この基点ＤＳＲＣ２１の位置が特定される。コンピュータ１４は、特定された基点ＤＳＲＣ２１の位置を、サービス区間での距離の基点となる基点位置として認識し、以後、この基点位置を基準として、サービス区間での絶対的な位置を算出する。
【００３３】
また、コンピュータ１４は、入力されたサービス情報のうち、サービス状態情報に基づき、情報ＤＳＲＣ２２から伝達されたサービス情報に含まれるサービスの種類を認識する。そして、ステップ３において、サービス情報に含まれるサービスが、現在稼働状態であるか否かが判断される。
【００３４】
このステップ３で肯定判定された場合、すなわち、サービスが現在稼働状態である場合には、表示情報として、サービス情報に含まれるサービスに対応したアイコンＩを表示画面１７に表示するように、表示装置１６が制御される（ステップ４）。図６は、情報ＤＳＲＣ２２の通過とタイミングを同期して表示画面１７に表示される表示情報の一例を示す説明図である。同図に示す表示画面１７には、例示的に、３つのアイコンＩ１〜Ｉ３が、表示情報として表示されている。ここで、これらのアイコンＩ１〜Ｉ３は、表示画面１７の左側から順に、カーブ進入危険防止支援、路面情報提供支援、および、出会い頭衝突防止支援（接近時支援）に関するサービスに対応したアイコンＩを示している。このとき、コンピュータ１４は、アイコンＩの背後に、背景画Ｂが表示されように、表示装置１６をさらに制御している。この背景画Ｂの表示サイズは、基本的に、表示画面１７と同一サイズであることが好ましい。ただし、表示情報として、ナビゲーション情報などを併用する場合には、ナビゲーション情報の表示領域を確保するためにも、背景画Ｂは少なくともアイコンＩが表示される領域をカバーするような表示サイズであることが望ましい。
【００３５】
ここで、本実施形態の特徴の一つとして、ステップ３において表示されるアイコンＩは、以下に示す２つの条件を満たすように、コンピュータ１４によって制御されている。図７は、表示画面１７上のアイコンＩの位置と表示カラーとを説明するための図である。同図に示す例では、アイコンＩの位置と表示カラーとを明確にするため、便宜的に、サービス情報として提供され得るそれぞれのサービスに対応したアイコンＩ（本実施形態では、Ｉ１〜Ｉ６）が表示画面１７上に表示された状態を示している。ここで、アイコンＩ３〜Ｉ４は、左側から順に、出会い頭衝突防止支援（発進時支援）、右折衝突防止支援、および、横断歩道歩行者衝突防止支援に関するサービスに対応したアイコンＩを示している。
【００３６】
まず、第１の条件として、あるサービスに対応するアイコンＩは、アイコンＩ（本実施形態では、Ｉ１〜Ｉ６）毎に予め定められた表示画面１７上の位置に表示される。そのため、アイコンＩ１〜Ｉ６の表示位置は、表示すべきアイコンＩの数等に拘わらず、常に図７に示す位置に、それぞれのアイコンＩ１〜Ｉ６が表示される。換言すれば、種々のサービスに関して表示されるアイコンＩは、アイコンＩ毎に、表示画面１７上の同位置に表示される。
【００３７】
また、第２の条件として、あるサービスに対応するアイコンＩは、アイコンＩ（本実施形態では、Ｉ１〜Ｉ６）毎に予め定められた表示カラーで表示される。そのため、あるサービスに関して表示されるアイコンＩは、同じ表示カラーで表示される。図７に示す例では、Ｉ１〜Ｉ６のそれぞれに括弧付きで示すように、アイコンＩ１〜Ｉ６は、紫、黄、青、緑、オレンジ、および薄緑のユニークな表示カラーでそれぞれ表示されている。
【００３８】
一方、再び図４を参照して、現在稼働中のサービスが存在しないとして、ステップ３で否定判定された場合には、コンピュータ１４は、背景画Ｂのみを表示画面１７に表示するように表示装置１６を制御し（ステップ５）、後段のステップ１１に進む。このように、ステップ５において、現在稼働中のサービスが存在しないにも拘わらず背景画Ｂを表示することで、ドライバーに対してサービス区間への進入を通知することができる。また、このように背景画Ｂのみを表示することで、アイコンＩが何ら表示されなければ、現在稼働中のサービスがないことを、ドライバーに対して通知することができる。また、ドライバーがサービス区間への車両Ｃの進入を認識しているような状況では、表示画面１７に背景画Ｂが表示されないことで、情報表示システム１の不具合を発見できるという点で有利である。
【００３９】
ただし、サービス区間において、本来、提供すべきサービスの対象であるものの、センサなどの故障により、複数のサービスのうちの一部のサービスが停止（非稼働）している場合がある。この場合、本実施形態では、一部のサービスは稼働中であると判断し、ステップ３で肯定判定される。そして、上述したように、サービス情報に含まれるアイコンＩ（例えば、図６に示すようにアイコンＩ１〜Ｉ３）を表示画面１７に表示するように表示装置１６が制御される。ただし、稼働中・非稼働中のサービスを含むアイコンＩ（例えば、アイコンＩ１〜Ｉ３）を通常通り表示させた場合、アイコンＩの表示を見ただけでは、稼働中のサービスと、非稼働中のサービスとの違いをドライバーに認識させることができない。そのため、本実施形態において、コンピュータ１４は、稼働中のサービスに対応するアイコンＩの表示の形態と、非稼働中のサービスに対応するアイコンＩの表示の形態とが相違して表示されるように表示装置１６を制御している。
【００４０】
図８および図９は、稼働中のサービスに対応するアイコンＩの表示の形態と、非稼働中のサービスに対応するアイコンＩの表示の形態との相違を示す説明図である。ここで、図８は、上述した図６に対応しており、例えば、出会い頭衝突防止支援（接近時支援）が非稼働状態であるとして、このサービスに対応するアイコンＩ３が、それを除くアイコンＩ１，Ｉ２（現在稼働中のサービスに対応するアイコン）よりも薄消し（半透明）表示されている。一方、図９は、上述した図７に対応しており、図８と同様、出会い頭衝突防止支援（接近時支援）が非稼働状態であるとして、このサービスに対応するアイコンＩ３の上に、「×」の印が表示されている。このように、サービスの稼働・非稼働に応じて表示の形態を相違させることにより、サービス区間にそのサービスが存在しないためにアイコンＩの表示がされないのか、道路側インフラの故障によりアイコンＩの表示がされないのかをドライバーに有効に認識させることができる。なお、上述したステップ５で否定判定された場合（すなわち、非稼働中の場合）にも、背景画Ｂの表示に加え、図８および９に示すように表示の形態を相違させた状態（薄消し、または「×」の印）でアイコンＩを表示させてもよい。この場合、背景画Ｂのみを表示させる場合と比べ、現在走行中のサービス区間に本来あるべきサービスの内容をドライバーに認識させることができる。
【００４１】
ステップ４に続くステップ６において、コンピュータ１４は、受信したサービス情報に含まれるサービス（本実施形態では、３種類）について、サービスの対象となる事象に対応したシンボルＳｐ，Ｓｔを表示画面１７に表示させる表示タイミングを算出する。このような処理を行う前提として、コンピュータ１４は、入力されたサービス情報（正確には、個別サービス情報）に基づき、認識されたサービスの種類に対応した、事象の位置、事象の内容、および、事象が含まれる情報対象区間の位置を認識する。あるサービスの対象となる事象に対応するシンボルＳｐ，Ｓｔを表示する場合、事象の位置よりも距離Ｌだけ手前にて行う。ＡＨＳ１において、この距離Ｌは、概ね数式１を満たすことが好ましいとされている。
【数１】
Ｌ＝（Ｖ２−Ｖｔ２）／２α＋Ｖ・Ｔ
【００４２】
ここで、数式１において、Ｖはサービス上限速度、Ｖｔはサービスが期待する目標車速（すなわち、サービスの対象となる事象に応じて異なる）、αは車両Ｃの通常減速度、Ｔはドライバーが情報提供を受けて減速を開始するまでのドライバーの反応時間である。ここで、サービス上限速度は、交通事故統計における当該死亡事故の危険認知速度（ドライバーが相手方車両、人、駐車車両、または物件等を認め、危険を認知した時点の速度）データに基づき、９０％タイル値程度をカバーするような速度、として定義されている。一例として、制限速度を基準に設定する場合、このサービス上限速度は、制限速度＋１０ｋｍ／ｈ程度（大型車）、或いは、制限速度＋３０ｋｍ／ｈ程度（乗用車）として具体化される。すなわち、同数式において、距離Ｌは、車両Ｃの速度をサービス上限速度Ｖと仮定して、情報提供を受けたドライバーが減速動作を行うまでに車両Ｃが進む距離と、この減速動作にともない車両Ｃが目標車速Ｖｔとなるまでの進む距離との和である。換言すれば、この距離Ｌは、情報提供を受けたドライバーが通常の減速度αで減速し、事象の位置に目標車速Ｖｔとなって到達するために要する道程距離を示している。
【００４３】
一つの情報ＤＳＲＣ２２から複数のサービスが提供される本実施形態において、コンピュータ１４は、この数式１に示す距離Ｌに基づいて、サービスの対象となる事象のそれぞれに関するシンボルＳｐ，Ｓｔの表示タイミングを算出する。具体的には、ある事象に対応するシンボルＳｐ，Ｓｔの表示タイミングは、この事象のサービス区間での位置（正確には、基点位置からの距離）から、数式１に基づき算出された距離Ｌを減じることによって、算出される。
【００４４】
また、数式１から理解されるように、この距離Ｌは、目標車速Ｖｔによってその値が異なることとなり、同じ位置に存在する事象であっても、事象の内容が異なるのであれば、この距離Ｌの値は異なる。換言すれば、シンボルＳｐ，Ｓｔの表示タイミングは、事象のサービス区間内での位置と事象の内容とに基づき、決定されることとなる。したがって、この表示タイミングに応じて表示されるシンボルＳｐ，Ｓｔに対応する事象の並び順と、サービス区間での事象の並び順とが必ずしも一致しないことがある。
【００４５】
そして、ステップ７において、算出された表示タイミングに基づき、車両Ｃが表示タイミングへ到達したか否かが判断される。この、ステップ７で肯定判定された場合、シンボルＳｐ，Ｓｔを表示すべき表示タイミングへ車両Ｃが到達したと判断して、後述するステップ８に進む。一方、このステップ７で否定判定された場合、シンボルＳｐ，Ｓｔを表示すべき表示タイミングへは車両Ｃが到達していないと判断して、後段のステップ９に進む。そして、ステップ７に続くステップ９において、基点位置から現在の車両Ｃの位置までの間の距離と、基点位置からサービス終了位置までの間の距離とが比較される。このステップ９において、現在の車両Ｃの位置までの間の距離が、サービス終了位置までの間の距離以上であると  判断された場合には、後段のステップ１２に進み、本サービスの中止処理を実行する。このようなケースの一例としては、車両Ｃが、サービス区間の存在する道路上において、進路変更などを行い、分岐路に進入するなどの事態が考えられる。すなわち、進路変更にともない車両Ｃがサービス区間を脱し、サービス区間相当の距離を走行しても、表示タイミングへ車両Ｃが到達しないような場合には、処理を中止することが好ましい。車両Ｃのサービス区間の逸脱は、車両情報の一つであるウィンカ状態、或いは、ナビゲーション情報を用いることにより、認識することができる。一方、このステップ９において、現在の車両Ｃの位置までの間の距離が、サービス終了位置までの間の距離よりも小さいと判断された場合には、上述したステップ７に戻り、車両Ｃが、表示タイミングへ到達したか否かが再度判断される。
【００４６】
ステップ７における肯定判定にともなうステップ８では、算出された表示タイミングに対応する位置への車両Ｃの到達とタイミングを同期して、以下の処理が行われる。図１０は、ステップ８に示すシンボルＳｐ，Ｓｔの表示ルーチンを示すフローチャートである。まず、ステップ８０において、車速センサ１５からの出力に基づき、現在の車両Ｃの車速Ｖｃが、サービス上限速度Ｖの範囲内であるか否かが判断される。このステップ８０で否定判定された場合、すなわち、現在の車速Ｖｃがサービス上限速度Ｖを越えるような場合には、図４に示すステップ１２に進み、本サービスの中止処理を実行する。なぜならば、悪質な暴走運転についてはサービスの対象としないというＡＨＳ１のシステム概念に鑑み、平均走行速度を大幅に超過するような速度を有する車両Ｃを、本サービスの対象外とするためである。
【００４７】
一方、このステップ８０で肯定判定された場合、すなわち、現在の車速Ｖｃがサービス上限速度Ｖの範囲内である場合には、後段のステップ８１に進む。ステップ８０に続くステップ８１では、車両Ｃが到達した表示タイミングに対応するシンボルＳｐ，Ｓｔの表示をオンさせるべく、シンボルＳｐ，Ｓｔを表示画面１７に表示するように表示装置１６が制御される。このとき、コンピュータ１４は、個別サービス情報に含まれる事象の内容から判断して、最も適切な絵シンボルＳｐおよび文字シンボルＳｔが表示されるように表示装置１６を制御することが好ましい。
【００４８】
図１１は、シンボルＳｐ，Ｓｔが表示情報として表示画面１７に表示された状態を示す説明図である。同図に示す例では、アイコンＩ１に示すサービス（カーブ進入危険防止支援）が対象とする事象に関する表示タイミングに車両Ｃが到達したとして、これらのサービスに対応する絵シンボルＳｐおよび文字シンボルＳｔが表示されている。絵シンボルＳｐは、表示画面１７の中央に表示され、図１１に示す例では、右カーブ（９０°）の交通標識がそのデザイン（絵）として用いられている。一方、文字シンボルＳｔは、表示画面１７の上側に表示され、図１１に示す例では、「カーブ注意」のテキストが帯状領域に中抜きのデザインで表示されている。これらのシンボルＳｐ，Ｓｔは、これからドライバーが到達する最も間近に存在するサービスを示すものであり、これらを表示タイミングに応じて事象の起りうる前に表示することで、ドライバーに対し事象に関する注意喚起を促す効果を奏する。さらに、ドライバーは、シンボルＳｐ，Ｓｔとして表示される交通標識、および、文字を認識ことにより、提供されるサービス（すなわち、アイコンＩ）のより具体的な内容を理解することができる。
【００４９】
ここで、本実施形態の別の特徴の一つとして、表示画面１７に表示される文字シンボルＳｔに関し、コンピュータ１４は、この文字シンボルＳｔに対応するアイコンＩの表示カラーと同じ表示カラーで表示するように制御している。すなわち、同図に示す例では、所定の帯状領域（或いは、文字そのもの）が、アイコンＩ１の表示カラーである紫色で表示される。これにより、文字シンボルＳｔが、アイコンＩの色と対応付けて表示されることにより、現在表示されているシンボルＳｐ，Ｓｔが、どのサービスに対応するのかということを、ドライバーが容易に理解することができる。
【００５０】
そして、ステップ８２において、現在の車両Ｃのサービス区間での位置をモニタリングし、表示タイミングに対応する事象の情報対象区間を通過したか否かが判断される。このステップ８２で肯定判定された場合、車両Ｃが情報対象区間を通過したとして、後段のステップ８３に進む。そして、現在表示されているシンボルＳｐ，Ｓｔの表示をオフさせるように、表示装置１６が制御され（ステップ６３）、本ルーチンを抜ける。これにともない、上述した図６に示すように、表示画面１７には、シンボルＳｐ，Ｓｔが表示されなくなる。一方、このステップ８２で否定判定された場合、すなわち、進路変更などにともない、車両Ｃがサービス区間を脱し、情報対象区間を完全に通過していないような場合には、図４に示すステップ１２に進み、本サービスの中止処理を実行する。このようなケースの一例としては、車両Ｃが、サービス区間の存在する道路上において、分岐路に進入するといったことが考えられる。車両Ｃのサービス区間の逸脱は、車両情報の一つであるウィンカ状態を検出することにより、或いは、ナビゲーション情報を用いることにより、コンピュータ１４によって認識することができる。
【００５１】
再び図４に示すフローチャートを参照して、ステップ８に続くステップ１０において、サービスの対象となる事象に対応するすべての表示タイミングに到達したか否かが判断される。このステップ８で否定判定された場合には、ステップ７に進む。そして、新たに車両Ｃが到達した表示タイミングに対応する事象に関し、上述したステップ６のシンボル表示ルーチンが繰り返される。一方、このステップ１０で、肯定判定された場合には、後段のステップ１３に進む。
【００５２】
ステップ１０に続くステップ１１では、現在の車両Ｃのサービス区間での位置をモニタリングし、サービス終了位置を車両Ｃが通過したか否かを判断する。このステップ９で肯定判定された場合には、車両Ｃがサービス終了位置を通過したと判断して、後段のステップ１３に進む。一方、このステップ１１で否定判定された場合、すなわち、進路変更などにともない、車両Ｃがサービス区間を脱し、サービス終了位置を通過しないような場合には、ステップ１２に進み、本サービスの中止処理を実行する。この場合、ステップ１２では、サービスの中止をメッセージとして表示画面１７に表示するように表示装置１６を制御してもよい。
【００５３】
そして、ステップ１３において、サービスの終了処理が行われる。具体的には、表示装置１６がコンピュータ１４によって制御され、アイコンＩおよび背景画Ｂ、背景画Ｂ、或いは、メッセージなど、ＡＨＳ１に関するすべての表示情報が表示されなくなり、表示画面１７には、ナビゲーション情報のみが表示される。このとき、コンピュータ１４は、サービスの終了をメッセージとして表示画面１７に表示するように表示装置１６を制御したり、或いは、スピーカなどを併用し、チャイム或いは音声情報などで、車両Ｃがサービスが終了することをドライバーに喚起してもよい。
【００５４】
以上説明したように、本実施形態によれば、情報ＤＳＲＣ２２を車両Ｃが通過することにより、サービス情報に含まれるサービスが、アイコンＩとして表示画面１７に表示される。これにより、ドライバーに対して、道路側インフラ２０から提供されるサービスの存在の有無を認識させることができる。また、この認識により、サービスの対象となる事象に対する予測可能性をドライバーに担保させることとなるので、事故防止といった点で有利である。また、表示情報をアイコンＩとして表示することで、複雑な表示方法と比べ、視認性に優れるため、ドライバー負担を軽減することができる。
【００５５】
また、表示画面１７に表示されるアイコンＩは、サービス情報として提供され得る事象のそれぞれに対応したアイコンＩ毎に、その位置と表示カラーとが予め定められている。このような表示方法において、ドライバーは、経験的に、アイコンＩに対応する表示位置と表示カラーとを記憶するため、位置や色を認識するだけでサービスの内容を理解することができる。この結果、ドライバーが運転中に表示画面１７を注目する度合いを低減することができるので、運転の安全性を向上させることができる。また、ドライバーがこれから到達するであろう事象に関しては、所定の距離を前に、表示画面１７にシンボルＳｐ，Ｓｔが表示される。これにより、車両Ｃの間近に存在する、サービスの対象となっている事象について、有効に注意喚起を行うことができる。このとき、文字シンボルＳｔの表示カラーは、対応するアイコンＩの表示カラーと対応付けて表示されてため、アイコンＩと、これに対応する文字シンボルＳｔとの対応をドライバーが容易に理解することができるという効果を奏する。
【００５６】
なお、図４に示すステップ３におけるアイコンＩ（本実施形態では、アイコンＩ１〜Ｉ３）表示制御の前処理として、コンピュータ１４は、表示画面１７に表示される表示情報が、図７に示すような表示形態となるように表示装置１６を制御してもよい。具体的には、コンピュータ１４は、サービス情報として提供され得るすべてのサービスに対応したアイコンＩ（本実施形態では、６種類）を表示画面１７に表示するように、表示装置１６を制御している。そして、これらのアイコンＩ１〜Ｉ６を所定時間（例えば、１秒間）だけ表示させた後に、或いは、点滅表示させた後に、ステップ３を行うようにしてもよい。
【００５７】
ここで、サービス情報の受信にともない、すべてのアイコンＩ１〜Ｉ６を表示（或いは、点滅表示）させる目的は、ドライバーに対して現在車両Ｃがサービス区間へ進入していること可視的に認識させることにある。したがって、このような前処理を行うことによって、ドライバーは、自車両Ｃのサービス区間への進入を有効に把握することができる。
【００５８】
なお、上述した実施形態では、単路系のサービスを前提として説明したが、本発明は、単路系および交差点系のサービスを含むような複合サービスであっても同様の作用・効果を奏することは当然である。ただし、単路系および交差点系の双方のサービスを含むような複合サービスでは、単路系のサービスに対応するアイコンＩと、交差点系のサービスに対応するアイコンＩとを、タイミングをずらして表示するよう制御してもよい。なぜならば、一般の走行状況において、単路系のサービスと、交差点系のサービスとが同一時期に起ることは少ないと考えられるからである。図１２は、アイコンＩの表示例を示す説明図である。図１２に示すアイコンＩ４は、交差点系サービスの一例として、図５（ｂ）に示すような、出会い頭衝突防止支援（発進時支援）が表示された様子を示している。したがって、このような複合サービスでは、アイコンＩの表示タイミングにおいて、単路系のサービスに対応するアイコンＩと、交差点系のサービスに対応するアイコンＩとを、それぞれ独立に表示させることが好ましい。具体的には、サービス区間の最初に、単路系のサービスが集中するような状況では、図６に示すように単路系のアイコンＩのみを表示し、これらの事象に関する情報提供区間を過ぎた段階で、図１２に示すような、交差点系のサービスに対応するアイコンＩ（同図に示すアイコンＩ４）を表示させるといった如くである。これにより、ドライバーは、交差点系、または、単路系のどちらのサービスが先に存在するのかを容易に認識することととなる。
【００５９】
ここで、再び図７を参照して、アイコンＩ毎の表示位置について着目してみると、表示画面１７において、左側から１番目から３番目までのアイコンＩ１〜Ｉ３は、単路系のサービスに対応したアイコンＩが表示されている。また、左側から４番目から６番目までのアイコンＩは、交差点系のサービスを示すアイコンＩが表示されている。このように、本実施形態において、表示画面１７上でのアイコンＩの位置は、サービスの種類、すなわち、事象の起こり得る発生状況に応じて、アイコンのそれぞれに対応したサービスの対象となる事象の発生する状況毎にまとめられている。このような規則的なアイコンＩの配置は、上述したドライバーへの覚え易さを補助するといった点で有利である。
【００６０】
なお、本実施形態に示す表示手法は、一例であって、本発明の要旨を逸脱しない範囲内で種々の変更が可能である。例えば、二つ以上の事象に関し、シンボルＳｐ，Ｓｔの表示タイミングが一致する（或いは、極めて近い）ような場合には、図１３に示すように、絵シンボルＳｐを二つ以上同時に表示させることが好ましい。同図に示す例では、車両Ｃの最も間近な表示タイミングに対応する絵シンボルＳｐが、まず、メイン絵シンボルＳｐ−ｍａｉｎとして中央に表示されている。そして、その直後の表示タイミングに対応する絵シンボルＳｐが、サブ絵シンボルＳｐ−ｓｕｂとして、ドライバーが視線移動を考慮して、メイン絵シンボルＳｐ−ｍａｉｎの左下に、その表示サイズがメイン絵シンボルＳｐ−ｍａｉｎよりも小さくなるように表示されている。このように、二つの事象に対応する絵シンボルＳｐを同時に表示させることで、ドライバーに対してこれらの事象に関する注意喚起を同時に行うことができる。また、メインとサブといったように、サイズを適宜使い分けることにより、事象の起りうる距離感を表現することができる。なお、この場合、文字シンボルＳｔを、絵シンボルＳｐと同様に、並列表示することも考えられるが、表示画面１７上の認識し易さを考慮するならば、少なくとも、メイン絵シンボルＳｐ−ｍａｉｎに対応する文字シンボルＳｔのみを表示することが好ましい。
【００６１】
図１４は、シンボルＳｐ，Ｓｔが表示情報として表示画面１７に表示された別な状態を示す説明図である。同図、および、図１１に示すように、上述した実施形態では、絵シンボルＳｐは、基本的に、サービスの対象となる事象に関して最も類似するような交通標識を模した形態を有する。図１１では、カーブ進入危険防止支援として、右カーブ（９０°）の交通標識を用いており、図１４では、出会い頭衝突防止支援（発進時支援）として、一時停止の交通標識を用いている。しかしながら、本発明の情報表示システム１において、絵シンボルＳｐの形態は、このような表示手法に限定されるものではない。図１５は、シンボルＳｐ，Ｓｔが表示情報として表示画面１７に表示された別な状態を示す説明図である。同図に示すように、コンピュータ１４は、絵シンボルＳｐが、サービスの対象となる事象について、より詳細な情報を含むような形態として、表示画面１７に表示されるように表示装置１６を制御してもよい。換言すれば、コンピュータ１４は、絵シンボルＳｐを表示するように表示装置１６を制御するための制御モードとして、詳細表示制御モードと簡易表示制御モードとを有する。この場合、簡易表示制御モードにおいて表示される絵シンボルＳｐ（例えば、図１１および図１４）は、詳細表示制御モードにおいて表示される絵シンボルＳｐ（例えば、図１５）よりも単純化して表示される。図１５に示す例では、現在車両Ｃが走行している道路と、これから車両Ｃが進入しようとしている交差点を含む優先道路とが概略的に表示されている。そして、道路側インフラ２０から取得したサービス情報に基づき、交差する優先道路を走行し、かつ、接近するすべての車両や歩行者を表示している（同図に示す矢印）。このような表示手法は、事象に関するより詳細な情報をドライバーに提供することができる。特に、サービスの対象となる事象が複雑となり得る、交差点系のサービスでは、このような詳細な表示手法は有効である。
【００６２】
図１６および図１７は、図５（ｃ）に示すような交差点系のサービスが発生し得る走行状況において、絵シンボルＳｐを詳細表示した場合の表示画面１７を示す説明図である。図１６には、右折衝突防止支援に関するサービスの対象となる事象に対応する絵シンボルＳｐを示している。また、図１７には、右折衝突防止支援、および、横断歩道歩行者衝突防止支援に関する絵シンボルＳｐの詳細表示の様子を示している。両図には、交差点内での状況が概略的に表示されている。このような図１６および図１７に示す表示状態であっても、図１５と同様の効果を奏する。
【００６３】
このような２つの制御モードを有するコンピュータ１４は、これらの制御モードを、簡易表示制御モードと、詳細表示制御モードとに切り換えられるスイッチを有することが好ましい。これにより、ユーザーニーズに応じた表示状態を、個々のドライバーによって任意に選択することができる。例えば、運転に未熟なドライバーは、運転中、表示画面１７を熟視することが困難であるため、一目で事象の内容が理解しやすい簡易表示制御モードを選択するといった如くである。また、運転に熟知したドライバーは、より詳細な情報を得るために、詳細表示と詳細表示制御モードを選択するといった如くである。
【００６４】
なお、アイコンＩ、シンボルＳｐ，Ｓｔを示す絵や文字は、例示的なものであり、本発明の要旨とする範囲内で様々な変更が可能であることはいうまでもない。
【発明の効果】
本発明によれば、道路側インフラから受信したサービス情報について、このサービス情報に含まれるサービスが、アイコンとして表示画面に表示される。これにより、ドライバーに対して、サービスの存在の有無を認識させることができる。また、この認識により、サービスの対象となる事象に対する予測可能性をドライバーに担保させることとなるので、交通事故の抑制といった点で有利である。
【図面の簡単な説明】
【図１】本実施形態にかかる情報表示システムが適用された走行支援システムの全体構成を示したブロック図
【図２】サービス区間を示す説明図
【図３】表示画面に表示される表示情報の一例を示す説明図
【図４】本実施形態にかかる表示制御に関する手順を示すフローチャート
【図５】車両とＤＳＲＣとの位置関係を示す説明図
【図６】情報ＤＳＲＣの通過とタイミングを同期して表示画面に表示される表示情報の一例を示す説明図
【図７】表示画面上のアイコンの位置と表示カラーとを説明するための図
【図８】稼働中のサービスに対応するアイコンの表示の形態と非稼働中のサービスに対応するアイコンの表示の形態との相違を示す説明図
【図９】稼働中のサービスに対応するアイコンの表示の形態と非稼働中のサービスに対応するアイコンの表示の形態との相違を示す説明図
【図１０】ステップ８に示すシンボルの表示ルーチンを示すフローチャート
【図１１】シンボルが表示情報として表示画面に表示された状態を示す説明図
【図１２】アイコンの表示例を示す説明図
【図１３】シンボルが表示情報として表示画面に表示された別な状態を示す説明図
【図１４】シンボルが表示情報として表示画面に表示された別な状態を示す説明図
【図１５】シンボルが表示情報として表示画面に表示された別な状態を示す説明図
【図１６】シンボルが表示情報として表示画面に表示された別な状態を示す説明図
【図１７】シンボルが表示情報として表示画面に表示された別な状態を示す説明図
【符号の説明】
１          ＡＨＳ
１０        情報表示システム
１１        通信装置
１２        アンテナ
１３        無線機
１４        コンピュータ
１５        車速センサ
１６        表示装置
１７        表示画面
２０        道路側インフラ
２１        基点ＤＳＲＣ
２２        情報ＤＳＲＣ
【図１】
2004184176.tif 000003
【図２】
2004184176.tif 000004
【図３】
2004184176.tif 000005
【図４】
2004184176.tif 000006
【図５】
2004184176.tif 000007
【図６】
2004184176.tif 000008
【図７】
2004184176.tif 000009
【図８】
2004184176.tif 000010
【図９】
2004184176.tif 000011
【図１０】
2004184176.tif 000012
【図１１】
2004184176.tif 000013
【図１２】
2004184176.tif 000014
【図１３】
2004184176.tif 000015
【図１４】
2004184176.tif 000016
【図１５】
2004184176.tif 000017
【図１６】
2004184176.tif 000018
【図１７】
2004184176.tif 000019